(57)【要約】      （修正有）【課題】建築工事現場の事務所の高性能、かつ、高額な電子機器とともに、電子データを盗難から守る。【解決手段】二階建の建築現場事務所Ｘにおいて、パソコン等の電子機器類Ｅは、二階に配置し、二階に上がる階段には施錠可能な扉を設け、かつ、二階の入口には、シャッター（２）を設けると共に、二階の各窓は、強化ガラスを設け、パソコンデータを管理するサーバーＥ２は、事務所の壁面（Ｙ）に固着し、かつ、強固な金属材で覆った収納室Ｚに常時設置し、また、パソコンＥ１とサーバーＥ２は無線にて接続する。【選択図】図５
0003117922.tif 000002
【実用新案登録請求の範囲】
【請求項１】
二階建の建築現場事務所（Ｘ）において、パソコン等の電子機器類（Ｅ）は、二階に配置し、二階に上がる階段には施錠可能な扉（１）を設け、かつ、二階の入口には、シャッター（２）を設けると共に、二階の各窓（３）は、強化ガラス（４）を設け、パソコンデータを管理するサーバー（Ｅ２）は、事務所の壁面（Ｙ）に固着し、かつ、強固な金属材で覆った収納室（Ｚ）に常時設置しておき、また、パソコン（Ｅ１）とサーバー（Ｅ２）は無線にて接続することを特徴とする建築現場事務所における防犯構造。
【請求項２】
二階の入口に設けるシャッター（２）において、該シャッターの下端部（２ａ）は、二階の床面より少し隙間部を空けて設け、施錠し、該隙間部（Ａ）に、手や工具等を差し込んだり、シャッターを動かせば、シャッター付近に設けたセンサー（Ｂ）が感知し、警報装置（Ｃ）により警報音等を発する設けるよう構成したことを特徴とする請求項１記載の建築現場事務所における防犯構造。
【考案の詳細な説明】
【技術分野】
【０００１】
この考案は、建築現場事務所における防犯構造に関するものである。
【背景技術】
【０００２】
近年、国土交通省において、２００４年４月以降の工事については、「全ての工事に電子納品〔工事受注から完成受渡しまでの全てのプロセス及び結果を電子データで納品する〕を義務ずける」との通達がされ、施工中の業務の全てをパソコンで作成し、決められた整理・格納を施した電子データは工事現場事務所（以下、単に事務所という）で、作成・管理されている。
【０００３】
しかし、このような事務所は、昼間は事務員や作業員、取引業者らで結構賑わってはいるが、工事の終わる、例えば、夕方から翌朝までの時間帯になると、事務所はガラ空き状態となり、そのため、現場荒らしと呼ばれる、窃盗等が横行する原因となる。
【０００４】
そして、これらの事務所内には、前述の通達により、高性能のパソコンや、プリンター、ファクシミリ、コピー、スキャナ等が一体となった高額な複合機が設置されており、これらの機器を盗まれることも、当然、痛手ではあるが、それよりも、これらの機器に設けた電子データごと持ち去られることが、より問題であり、この電子データこそ、盗難から避けることが重要である。
【考案の開示】
【考案が解決しようとする課題】
【０００５】
そこで、この考案は、これらの高性能、かつ、高額なく電子機器を備えた建築工事現場の事務所において、これらの電子機器とともに、これらの機器を用いて作成・管理されている大切な電子データを盗難から守る必要がある。
【課題を解決するための手段】
【０００６】
そこでこの考案は、事務所を二階建て家屋とし、電子機器類はすべて運び出し難い二階に設置して、サーバーとクライアント間は、無線ＬＡＮにより構築し、特に、サーバーは保管庫に収納しておき、家屋の壁に造り付けで設け施錠可能に構成する建築現場事務所に於ける防犯構造とするものである。
【考案の効果】
【０００７】
この考案によると、事務所を二階建て家屋とし、高性能のパソコン、プリンター、ファクシミリ、コピー、スキャナ等が一体となった高額な複合機等の電子機器類をすべてを二階に設置することにより、階段を使用して下ろし、一階から外部に運び出す作業を困難とし、さらに、二階に上がる階段の入口に施錠可能な扉（１）を設け、階段を上がると二階の入口にはシャッター（２）を設けることにより、二重・三重の防犯構成とし、さらに、二階の各窓（３）には割れにくい網入りガラスである強化ガラス（４）を設けることにより、窓からの侵入を防止できる等の効果を有する。
【０００８】
また、パソコンデータを管理するサーバー（Ｅ２）は、事務所の壁面（Ｙ）に固着し、かつ、強固な金属材で覆った収納室（Ｚ）に常時設置しておくことにより、盗難を避けることができ、また、パソコン（Ｅ１）とサーバー（Ｅ２）は無線にて接続することにより、落雷時にデータが喪失するのを防ぐことができる等、極めて有益なる効果を奏するものである。
【０００９】
さらに、二階の入口に設けるシャッター（２）において、該シャッターの下端部（２ａ）は、二階の床面より少し隙間部を空けて設け、施錠し、該隙間部（Ａ）に、手や工具等を差し込んだり、シャッターを動かせば、シャッター付近に設けたセンサー（Ｂ）が感知し、警報装置（Ｃ）により警報音等を発する設けることにより、防犯効果を有するものである。
【考案を実施するための最良の形態】
【００１０】
そこで、この考案は、二階建の建築現場事務所（Ｘ）において、パソコン等の電子機器類（Ｅ）は、二階に配置し、二階に上がる階段には施錠可能な扉（１）を設け、かつ、二階の入口には、シャッター（２）を設けると共に、二階の各窓（３）は、強化ガラス（４）を設け、パソコンデータを管理するサーバー（５）は、事務所の壁面（Ｙ）に固着し、かつ、強固な金属材で覆い、また、パソコン（Ｅ１）とサーバー（Ｅ２）は無線にて接続することを特徴とする建築現場事務所における防犯構造から構成される。
【実施例】
【００１１】
この考案の一実施例を図面に従って、説明すると、二階建の建築現場事務所（Ｘ）において、パソコン等の電子機器類（Ｅ）は、二階に配置し、二階に上がる階段には施錠可能な扉（１）を設け、かつ、二階の入口には、シャッター（２）を設けると共に、二階の各窓（３）は、強化ガラス（４）を設け、パソコンデータを管理するサーバー（Ｅ２）は、事務所の壁面（Ｙ）に固着し、かつ、強固な金属材で覆った収納室（Ｚ）に常時設置し、また、パソコン（Ｅ１）とサーバー（Ｅ２）は無線にて接続することを特徴とする建築現場事務所における防犯構造から構成される。
【００１２】
また、二階の入口に設けるシャッター（２）において、該シャッターの下端部（２ａ）は、二階の床面より少し隙間部を空けて設け、施錠し、該隙間部（Ａ）に、手や工具等を差し込んだり、シャッターを動かせば、シャッター付近に設けたセンサー（Ｂ）が感知し、警報装置（Ｃ）により警報音等を発するよう構成してもよい。
【産業上の利用可能性】
【００１３】
この考案は、これら防犯構造の技術を確立し、この技術に基づいて実施・施工することにより産業上の利用可能性を有する。
【図面の簡単な説明】
【００１４】
【図１】この考案に使用する二階建て家屋の一実施例を示す正面図である。
【図２】この考案に使用する二階建て家屋の一実施例を示す左面図である。
【図３】この考案に使用する二階建て家屋の一実施例を示す右面図である。
【図４】この考案に使用する二階建て家屋の一実施例を示す背面図である。
【図５】この考案の使用する二階建て家屋の一実施例を示す二階の床面平面図である。
【図６】この考案に使用するシャッターの一実施例を示し、（ａ）は、正面図、（ｂ）は、一部拡大欠截断面図である。
【符号の説明】
【００１５】
１  施錠可能な扉
２  シャッター
２ａ  シャッターの下端部
３  二階の窓
４  強化ガラス
Ａ  隙間部
Ｂ  センサー
Ｃ  警報装置
Ｅ  パソコン等の電子機器類
Ｅ１  パソコン
Ｅ２  サーバー
Ｘ  二階建の建築現場事務所
Ｙ  壁面
Ｚ  収納室
【図１】
0003117922.tif 000003
【図２】
0003117922.tif 000004
【図３】
0003117922.tif 000005
【図４】
0003117922.tif 000006
【図５】
0003117922.tif 000007
【図６】
0003117922.tif 000008